(57)【要約】【課題】糸屑回収装置の装着忘れを防止し、また、糸屑回収装置に付着した糸屑等のリント類の除去を容易にし、使い勝手が良くするドラム式洗濯乾燥機を提供する。【解決手段】本体１内に弾性的に支持され回転ドラム２を内包する水槽３と、回転ドラム２内から排気した空気を除湿部２６、加熱部（図示せず）を通して再び回転ドラム２内に送風する循環送風経路１６と、循環送風経路１６途中に設けられ洗濯物から発生する糸屑等のリント類を回収する糸屑回収装置２２とを備え、糸屑回収装置２２は、本体１の前面上部に略水平方向に着脱自在に配設したドラム式洗濯乾燥機であるので、糸屑回収装置２２の装着忘れを防止し、また、糸屑回収装置２２に付着した糸屑等のリント類の除去を容易にし、使い勝手が良くすることができる。【選択図】図２
2006081574.tif 000002
【特許請求の範囲】
【請求項１】
周壁に多数の透孔を設けて円筒形に形成され水平方向または傾斜方向に回転軸を有する回転ドラムと、本体内に弾性的に支持され前記回転ドラムを内包する水槽と、前記回転ドラム内から排気した空気を除湿部、加熱部を通して再び前記回転ドラム内に送風する循環送風経路と、前記循環送風経路途中に設けられ洗濯物から発生する糸屑等のリント類を回収する糸屑回収装置とを備え、前記糸屑回収装置は、前記本体の前面上部に略水平方向に着脱自在に配設したドラム式洗濯乾燥機。
【請求項２】
糸屑回収装置は、略平面状の第１のフィルターを有する第１のフィルター部材と、前記第１のフィルターの網の目の大きさと同等もしくはそれ以下の網の目の大きさを有する略平面状の第２のフィルターを有する第２のフィルター部材とからなり、前記糸屑回収装置には、上方から下方に向けて送風されるとともに、前記第２のフィルター部材が、前記第１のフィルター部材の下方に位置するように構成した請求項１記載のドラム式洗濯乾燥機。
【請求項３】
糸屑回収装置は、前方下方の送入口より上方に送風され、上方より後方下方の送出口より送風される循環送風経路の途中に設けられ、第１のフィルター部材には、前記送入口の対応位置に第１の開口部を設けるとともに、前記送出口の対応位置に第１のフィルターを設け、第２のフィルター部材には、前記送入口の対応位置に第２の開口部を設けるとともに、前記送出口の対応位置に第２のフィルターを設けた請求項２記載のドラム式洗濯乾燥機。
【請求項４】
第１のフィルター部材の把手部分は、本体前面に露出し外郭の一部を形成し、第２のフィルターの把手部分は、前記第１のフィルター部材の把手部分の内部に隠蔽され、前記第１のフィルター部材を脱着した後、前記第２のフィルター部材を脱着可能に構成した請求項２または３に記載のドラム式洗濯乾燥機。
【請求項５】
循環送風経路には、第２のフィルター部材の有無を検知する第２のフィルター有無検知手段を設けた請求項４記載のドラム式洗濯乾燥機。
【請求項６】
第１のフィルター部材の後端部は、上方に湾曲する湾曲形状とし、その湾曲形状部分の後端面が、循環送風経路の後面に当接するように構成した請求項２〜５のいずれか１項に記載のドラム式洗濯乾燥機。
【発明の詳細な説明】
【技術分野】
【０００１】
本発明は、回転軸が水平もしくは傾斜した回転ドラム内で洗濯、すすぎ、脱水、乾燥の各行程を行うドラム式洗濯乾燥機に関するものである。
【背景技術】
【０００２】
従来のこの種のドラム式洗濯乾燥機は、水及び空気を通過させる多数の透孔が周面に形成された有底円筒形の回転ドラムを水平方向もしくは水平方向から傾斜した方向にして水槽内に配設し、回転ドラムを回転駆動できるように構成されている。前記水槽の正面側には、扉によって開閉可能に衣類出入口が形成されており、その衣類出入口から回転ドラム内に洗濯物を投入して水槽内への注水及び排水、回転ドラムの回転を制御することにより洗濯、すすぎ、脱水の各行程を行うようになっている。
【０００３】
更に、水槽内の空気を排気して除湿部及び加熱部を通して再び水槽内に戻す循環送風経路を形成することにより、回転ドラム内に収容した洗濯物を乾燥させる乾燥行程を行うことができ、前記洗濯、すすぎ、脱水の各行程に加えて乾燥行程も可能なドラム式洗濯乾燥機となっている。使用者は、運転に先立ち洗剤を洗剤投入ケースに入れ、必要に応じて操作表示部を操作することにより、希望する運転内容を設定したり、運転スタート、一時停止を行い、運転の進行状態を認識することができる。
【０００４】
このようなドラム式洗濯乾燥機では、乾燥行程を実施した場合に、洗濯物の乾燥に伴って発生する糸屑等のリント類が送風経路や送風ファン等に堆積することを防止するため、糸屑等のリント類を回収する糸屑回収装置が送風経路に設けられている。この糸屑回収装置は、堆積したリント類を使用者が随時除去し清掃できるようにするために、本体の天面に設けた蓋板を開けて着脱できるようになっており、糸屑等のリント類を除去する事により送風効果が低下しないように構成されている（例えば、特許文献１参照）。
【０００５】
また、乾燥行程時の糸屑等のリント類を除去する糸屑回収装置としては、温風入力側に設け温風入力側が開口した袋状部を有する第１のフィルターと、温風出力側に設けた面状の第２のフィルターとを有しているものがあり、衣類から発生した糸屑等のリント類などの大きいものは第１のフィルターの袋状部に捕捉され、ほこりなどの小さいものは第２のフィルターに補足されるよう構成されている（例えば、特許文献２参照）。
【特許文献１】特開２０００−９３６９７号公報
【特許文献２】特開２００１−３００１９２号公報
【発明の開示】
【発明が解決しようとする課題】
【０００６】
しかしながら、前記特許文献１に記載の従来のドラム式洗濯乾燥機の構造では、糸屑回収装置が本体の上部に位置し、その着脱の際に開閉する蓋板が本体の天面にあるため、通常目につきにくく、糸屑回収装置を本体に装着し忘れて、循環経路内に糸屑等のリント類が侵入したり、また、糸屑回収装置の掃除が不十分で、使用者が気が付かない内に糸屑回収装置に糸屑等のリント類が堆積し、送風能力が低下して乾燥性能が著しく低下するという課題があった。
【０００７】
また、特許文献２に記載の従来の糸屑回収装置は、２つのフィルターが設けられており、その一方を袋状に構成して糸屑等のリント類を捕集していたため、フィルターの掃除がしにくく、糸屑等のリント類の除去が不十分となってしまうという課題もあった。
【０００８】
本発明は、前記従来の課題を解決するもので、糸屑回収装置の存在を使用者に認識させて、糸屑回収装置の糸屑等のリント類の除去を促し、使用者が気が付かないうちに糸屑回収装置に糸屑等のリント類が堆積し送風能力が低下して乾燥性能が著しく低下するといったことを極力少なくさせるとともに、糸屑回収装置の装着忘れを防止し、また、糸屑回収装置に付着した糸屑等のリント類の除去を容易にし、使い勝手が良く、しかも外観デザイン的にも優れたドラム式洗濯乾燥機を提供することにある。
【課題を解決するための手段】
【０００９】
前記従来の課題を解決するために、本発明のドラム式洗濯乾燥機は、周壁に多数の透孔を設けて円筒形に形成され水平方向または傾斜方向に回転軸を有する回転ドラムと、本体内に弾性的に支持され前記回転ドラムを内包する水槽と、前記回転ドラム内から排気した空気を除湿部、加熱部を通して再び前記回転ドラム内に送風する循環送風経路と、前記循環送風経路途中に設けられ洗濯物から発生する糸屑等のリント類を回収する糸屑回収装置とを備え、前記糸屑回収装置は、前記本体の前面上部に略水平方向に着脱自在に配設したものである。
【００１０】
これによって、糸屑回収装置の存在を使用者に認識させて、糸屑回収装置の糸屑等のリント類の除去を促し、使用者が気が付かないうちに糸屑回収装置に糸屑等のリント類が堆積し送風能力が低下して乾燥性能が著しく低下するといったことを極力少なくさせるとともに、糸屑回収装置の装着忘れを防止し、また、糸屑回収装置に付着した糸屑等のリント類の除去を容易にし、使い勝手が良く、しかも外観デザイン的にも優れたドラム式洗濯乾燥機を得ることができる。
【発明の効果】
【００１１】
本発明のドラム式洗濯乾燥機は、糸屑回収装置の装着忘れを防止し、また、糸屑回収装置に付着した糸屑等のリント類の除去を容易にし、使い勝手が良くすることができる。
【発明を実施するための最良の形態】
【００１２】
第１の発明は、周壁に多数の透孔を設けて円筒形に形成され水平方向または傾斜方向に回転軸を有する回転ドラムと、本体内に弾性的に支持され前記回転ドラムを内包する水槽と、前記回転ドラム内から排気した空気を除湿部、加熱部を通して再び前記回転ドラム内に送風する循環送風経路と、前記循環送風経路途中に設けられ洗濯物から発生する糸屑等のリント類を回収する糸屑回収装置とを備え、前記糸屑回収装置は、前記本体の前面上部に略水平方向に着脱自在に配設したドラム式洗濯乾燥機とすることにより、糸屑回収装置の存在を使用者に認識させて、糸屑回収装置の糸屑等のリント類の除去を促し、使用者が気が付かないうちに糸屑回収装置に糸屑等のリント類が堆積し送風能力が低下して乾燥性能が著しく低下するといったことを極力少なくさせるとともに、糸屑回収装置の装着忘れを防止し、また、糸屑回収装置に付着した糸屑等のリント類の除去を容易にし、使い勝手が良く、しかも外観デザイン的にも優れたものとなる。
【００１３】
第２の発明は、特に、第１の発明のドラム式洗濯乾燥機の糸屑回収装置は、略平面状の第１のフィルターを有する第１のフィルター部材と、前記第１のフィルターの網の目の大きさと同等もしくはそれ以下の網の目の大きさを有する略平面状の第２のフィルターを有する第２のフィルター部材とからなり、前記糸屑回収装置には、上方から下方に向けて送風されるとともに、前記第２のフィルター部材が、前記第１のフィルター部材の下方に位置するように構成したことにより、フィルターが略平面状であるので、糸屑等のリント類の除去が容易になるとともに、第１のフィルターを通過した糸屑等のリント類は第２のフィルターに捕集されるので、循環送風経路内に糸屑等のリント類が堆積して送風能力が低下し、乾燥性能が低下することを防止できる。
【００１４】
第３の発明は、特に、第２の発明のドラム式洗濯乾燥機の糸屑回収装置は、前方下方の送入口より上方に送風され、上方より後方下方の送出口より送風される循環送風経路の途中に設けられ、第１のフィルター部材には、前記送入口の対応位置に第１の開口部を設けるとともに、前記送出口の対応位置に第１のフィルターを設け、第２のフィルター部材には、前記送入口の対応位置に第２の開口部を設けるとともに、前記送出口の対応位置に第２のフィルターを設けたことにより、糸屑回収装置を本体の前面でその上部分にもうけることができるので、使用者にとって、糸屑回収装置を使いやすくすることができるとともに、その存在を使用者に気付きやすくすることができるので、掃除を頻繁に行うことを促すことができる。
【００１５】
第４の発明は、特に、第２または第３の発明のドラム式洗濯乾燥機の第１のフィルター部材の把手部分は、本体前面に露出し外郭の一部を形成し、第２のフィルターの把手部分は、前記第１のフィルター部材の把手部分の内部に隠蔽され、前記第１のフィルター部材を脱着した後、前記第２のフィルター部材を脱着可能に構成したことにより、外観の美観を向上させることができる。
【００１６】
第５の発明は、特に、第４の発明のドラム式洗濯乾燥機の循環送風経路には、第２のフィルター部材の有無を検知する第２のフィルター有無検知手段を設けたことにより、第１のフィルター部材を外さなければ、外側からは確認することができない第２のフィルター部材の有無を確認することができるので、第２のフィルター部材の付け忘れを防止することができる。
【００１７】
第６の発明は、特に、第２〜５のいずれか１つの発明のドラム式洗濯乾燥機の第１のフィルター部材の後端部は、上方に湾曲する湾曲形状とし、その湾曲形状部分の後端面が、循環送風経路の後面に当接するように構成したので、第１のフィルターの表面積を広くすることができるので、糸屑等のリント類が第１のフィルターの全面を覆うまでの時間を延長させることができるとともに、湾曲形状部分の後端面から糸屑等のリント類が洩れるのを防止することができる。
【００１８】
以下、本発明の実施の形態について、図面を参照しながら説明する。なお、この実施の形態によって本発明が限定されるものではない。
【００１９】
（実施の形態１）
本発明の第１の実施の形態におけるドラム式洗濯乾燥機について、図１〜４を用いて説明する。図１は、本実施の形態におけるドラム式洗濯乾燥機の全体斜視図、図２は、同ドラム式洗濯乾燥機の概略断面図、図３は、同ドラム式洗濯乾燥機の糸屑回収装置近傍の要部断面図、図４は、同ドラム式洗濯乾燥機の糸屑回収装置の要部斜視図である。
【００２０】
図１および図２において、ドラム式洗濯乾燥機の本体１内に、サスペンション構造５によって水槽３が宙吊り状態に配設され、水槽３内に有底円筒形に形成された回転ドラム２がその軸心方向を正面側から背面側に向けて下向きに傾斜させてかつ回転自在に配設されている。水槽３の正面側には回転ドラム２の開口端に通じる衣類出入口１１が形成され、本体１の前面を構成する前部枠体６の前部に形成された上向き傾斜面に設けられた開口部６ａを開閉する扉９を開くことにより、衣類出入口１１を通じて回転ドラム２内に洗濯物を出し入れすることができる。扉９が上向き傾斜面に設けられているため、洗濯物を出し入れする作業を腰を屈めることなく実施でき、一般には横向きにある開口部から洗濯物を出し入れするドラム式洗濯乾燥機の作業性の悪さが改善されている。
【００２１】
回転ドラム２の周面に水槽３内に通じる多数の透孔８が形成され、内周面の複数位置に撹拌突起４が設けられている。この回転ドラム２は水槽３の背面側に取り付けられたモータ７によって正転及び逆転方向に回転駆動される。また、水槽３には、注水管路（図示せず）及び排水管路１３が配管接続され、注水弁１４および排水弁１５の制御によって水槽３内への注水および排水がなされる。
【００２２】
前部枠体６の上部中央には、操作表示部２０が配置され、使用者は、必要に応じて操作表示部２０を操作することにより、希望する運転内容を設定したり、運転スタート、一時停止を行い、運転の進行状態を認識することができる。
【００２３】
扉９を開いて回転ドラム２内に洗濯物を投入して運転を開始させると、注水弁１４が開き、洗剤投入ケース２１内に水が注水され、その中に投入されていた洗剤を流しながら、注水管路（図示せず）を介して、水槽３内に所定量の注水がなされ、モータ７により回転ドラム２が回転駆動されて洗濯行程が開始される。洗濯行程の洗濯物は、回転ドラム２の回転により、撹拌突起４によって回転方向に持ち上げられ落下する撹拌動作が繰り返され、いわゆる叩き洗いの作用が及んで洗濯がなされる。
【００２４】
所要の洗濯時間の後、排水弁１５が開き、汚れた洗濯液は排水管路１３から排出され、回転ドラム２を高速回転させる脱水動作により洗濯物に含まれた洗濯液を脱水し、その後、水槽３内に注水管路（図示せず）から注水され、すすぎ行程が実施される。このすすぎ行程においても、洗濯物には回転ドラム２の回転により、撹拌突起４で持ち上げられて落下する撹拌動作が繰り返されてすすぎ洗いが実施される。すすぎ行程が終了すると、回転ドラム２を高速回転させて脱水する脱水行程が実行される。
【００２５】
また、本第１の実施の形態におけるドラム式洗濯乾燥機には、回転ドラム２内に収容した洗濯物を乾燥する機能が設けられており、水槽３内の空気を排気して除湿し、加熱されて乾燥した温風にして再び水槽３内に送風する循環送風経路１６が形成されている。
【００２６】
上記の脱水行程が終了すると、乾燥行程に移行する。乾燥行程においては、回転ドラム２を所定回転数で回転駆動し、撹拌突起４によって洗濯物を回転方向に持ち上げて落下させる撹拌動作が繰り返されるとともに、以下の手順によって、内部の空気を除湿および過熱を行い乾燥させる。
【００２７】
すなわち、循環送風経路１６内に配設された送風ファン２３を回転駆動することにより、循環送風経路１６に矢印で示す空気の流れが発生して、洗濯物を収容した回転ドラム２内の空気は透孔８を通じて、水槽３内に入り、水槽３の排気口２４から除湿管路２５に排気される。除湿管路２５には、給水弁１４から供給される水の噴霧等により冷却された熱交換板２６が配設され、水槽３内から排気された水分を含む空気は、熱交換板２６上を通過する間に冷却され水分が結露して除湿される。
【００２８】
除湿された空気は、第１の接続ホース２９を通り、糸屑回収装置２２を通過して乾燥運転中に発生した糸屑等のリント類が除去された後、送風経路２７を通って送風ファン２３に入り、さらに、第２の接続ホース３０を通った後、乾燥ヒーター（図示せず）で加熱され乾いた温風となって、温風供給口２８から水槽３に送り込まれ、その後、回転ドラム２内へ循環供給される。この空気の循環が所要時間繰り返され、洗濯物に含まれた水分が徐々に奪われて乾燥が進行する。
【００２９】
糸屑回収装置２２は、本体１の前部枠体６の上部分のコーナー部に設けている。糸屑回収装置２２について、以下、図３および図４を用いて説明する。
【００３０】
糸屑回収装置２２は、フィルター収納部材３１、第１のフィルター部材３２および第２のフィルター部材３３で構成されている。フィルター収納部材３１には、その下面に第１の接続ホース２９からの空気が送入される送入口３４と、空気が送風経路２７に送出される送出口３５が形成されている。
【００３１】
第１のフィルター部材３２は、フィルター収納部材３１に設けたスライド溝３１ａの上方を、前後方向に移動して着脱できるように構成され、第１のフィルター部材３２には、送入口３４に対応する位置に下方から送入された空気が通過する第１の開口部３６を設け、送出口３５に対応する位置に略平面状の第１のフィルター３７を設けている。
【００３２】
第２のフィルター部材３３は、フィルター収納部材３１に設けたスライド溝３１ａの内部に沿って、前後方向に移動して着脱できるように構成され、第２のフィルター部材３３には、送入口３４に対応する位置に下方から送入された空気が通過する第２の開口部３８を設け、送出口３５に対応する位置に略平面状の第２のフィルター３９を設けている。
【００３３】
第１のフィルター部材３２は、第２のフィルター部材３３の上側に収納されるよう構成されており、フィルター収納部材３１に対しては、第２のフィルター部材３３を収納した後、第１のフィルター部材３２を収納するようにしている。また、第１のフィルター部材３２および第２のフィルター部材３３が、フィルター収納部材３１への収納された状態においては、第２のフィルター部材３３の把手部を形成する第２の把手部４０は、第１のフィルター部材３２の把手部を形成するとともに前部枠体６と同一面となるように形成された第１の把手部４１の内方に隠蔽されており、外方からは見えない構成となっている。
【００３４】
第２のフィルター３９の網の目の大きさは、第１のフィルター３７の網の目と同等もしくはそれ以下の大きさとすることにより、第１のフィルター３７で逃した糸屑等のリント類やほこりなどを第２のフィルター３９で回収するようにしている。
【００３５】
また、第１のフィルター部材３２の後端部には、上方に湾曲する湾曲形状部分４２を有しており、第１のフィルター部材３２がフィルター収納部材３１に収納されている時、湾曲形状部分４２の後端面４２ａが、フィルター収納部材３１の後内面３１ｂに当接するように構成されている。
【００３６】
また、第２のフィルター部材３３には、磁石４３が取り付けられており、第２のフィルター部材３３をフィルター収納部材３１に収納することで、磁石４３をフィルター収納部材４１の外部に設けられた磁力判定手段（第２のフィルター有無判定手段）４４の近傍に位置することができる。磁力判定手段４４は、磁石４３の磁力により、第２のフィルター部材３３が取り付けられているか否かを判定することができる。
【００３７】
上記構成においては、フィルター収納部材３１の下面に送入口３４と送出口３５を形成しており、その天面には、送風のための開口を設けていないので、本体１内の上方端に糸屑回収装置２２を設けることができ、かつ、第１のフィルター部材３２と第２のフィルター部材３３は、フィルター収納部材３１に対し、前後方向に移動して着脱できるように構成されているので、本体１内の前方端に設けることができる。したがって、この構成にすることにより、糸屑回収装置２２を、使用者が最も使いやすくて、また、その存在を気付きやすい位置である本体１の前面上部のコーナー部に設けることができるものである。
【００３８】
なお、送入口３４は、フィルター収納部材３１の下面でなくてもよく、側面であってもよい。すなわち、天面でなければ、同等の効果を得ることができる。
【００３９】
また、第１のフィルター部材３２の第１のフィルター３７および第２のフィルター部材３３の第２のフィルター３９は、ともに平面状としているため、袋状とした場合に比べ、糸屑等のリント類を取除く作業が大幅に容易となるものである。
【００４０】
また、第２のフィルター３９の網の目の大きさは、第１のフィルター３７の網の目と同等もしくはそれ以下の大きさとしているので、糸屑等のリント類を確実に回収することができるので、循環経路１６内に糸屑等のリント類が堆積し、送風能力が低下して乾燥性能が低下することを防止できる。
【００４１】
また、第１のフィルター部材３２および第２のフィルター部材３３のフィルター収納部材３１への収納時においては、第２のフィルター部材３３の第２の把手部４０は、第１のフィルター部材３２の把手部４１の内方に隠蔽されており、外方からは見えない構成となっているので、表面には第１の把手部４１だけしか現れず、第２の把手部４０を構成するラインを本体表面からなくすことができるので、外観の美観を向上させることができる。
【００４２】
また、第１の把手部４１は、前部枠体６と同一面となるよう形成されているので、さらに外観の美観を向上させることができる。
【００４３】
また、第１のフィルター部材３２を装着し忘れた場合にも、洗濯運転開始時もしくは乾燥運転開始時に、その装着忘れについて、使用者が目視で容易に確認することができるので、循環経路１６内に糸屑等のリント類が堆積し、送風能力が低下して乾燥性能が低下することを防止することができる。
【００４４】
また、第１のフィルター部材３２を外さなければ、外側からは確認することができない第２のフィルター部材３３の装着忘れについては、第２のフィルター部材３３に磁石４３が取り付けられており、フィルター収納部材３１の外側に設けられた磁力判定手段４４により、その存在を認識することができるので、磁力判定手段４４が磁石４３が無いと判定した場合に、操作表示手段２０により異常報知等を行い、運転を停止し、使用者に知らしめることができるので、循環経路１６内に糸屑等のリント類が堆積し、送風能力が低下して乾燥性能が低下することを防止することができる。
【００４５】
さらに、第１のフィルター部材３２の後端部には、上方に湾曲する湾曲形状部分４２を有しており、第１のフィルター部材３２がフィルター収納部材３１に収納されている時、湾曲形状部分４２の後端面４２ａが、フィルター収納部材３１の後内面３１ｂに当接するように構成されているので、第１のフィルター３７の表面積を広くすることができ、糸屑等のリント類が第１のフィルター３７の全面を覆うまでの時間を延長させることができるので、使用者にとって使いやすいものとなる。また、湾曲形状部分４２の後端面４２ａとフィルター収納部材３１の後内面３１ｂを当接させることで、そこから糸屑等のリント類が洩れるのを防止することができる。
【産業上の利用可能性】
【００４６】
以上のように、本発明にかかるドラム式洗濯乾燥機は、糸屑回収装置の装着忘れを防止し、また、糸屑回収装置に付着した糸屑等のリント類の除去を容易にし、使い勝手が良くすることができるので、フィルター等のメンテナンスを要する部品を搭載した各種機器に適用できる。
【図面の簡単な説明】
【００４７】
【図１】本発明の実施の形態１におけるドラム式洗濯乾燥機の全体斜視図
【図２】同ドラム式洗濯乾燥機の概略断面図
【図３】同ドラム式洗濯乾燥機の糸屑回収装置近傍の要部断面図
【図４】同ドラム式洗濯乾燥機の糸屑回収装置の要部斜視図
【符号の説明】
【００４８】
１  本体
２  回転ドラム
３  水槽
８  透孔
１６  循環送風経路
２２  糸屑回収装置
２６  除湿部
【図１】
2006081574.tif 000003
【図２】
2006081574.tif 000004
【図３】
2006081574.tif 000005
【図４】
2006081574.tif 000006